(57)【要約】【課題】薄型化、狭額縁化に対応でき、かつ、発光面周辺つまり額縁近辺での照度低下がなくて発光面全体で均一照度の白色光が得られる中空式面照明装置を提供する。【解決手段】ユニットケース１の底面側に光反射面部材２を配置し表側に発光面部材３を配置してこれら光反射面部材と発光面部材とで挟まれる空間を中空導光領域１０とし、配線基板６に多数個のＬＥＤ７を列設実装したＬＥＤ光源ユニット５を中空導光領域に隣接して配置し、ＬＥＤ光源ユニットの前方に細長集光部材９を配置した中空式面照明装置３０において、ＬＥＤ光源ユニット５は、赤色ＬＥＤ、緑色ＬＥＤ、青色ＬＥＤの単色発光の多数個のＬＥＤ７が所定の配列にて列設され、当該配列の両端位置それぞれには、それらに直隣接するＬＥＤの発光色と異なる発光色の２色、若しくは全色３色のＬＥＤを同時にパッケージングしたマルチチップＬＥＤ７Ｅ１，７Ｅ２を配置したことを特徴とする。【選択図】      図３
2009099446.tif 000002
【特許請求の範囲】
【請求項１】
中空のユニットケースの底面側に光反射面部材を配置し、前記ユニットケースの前記光反射面部材と対向する表側に発光面部材を配置し、前記ユニットケースにおける前記光反射面部材と発光面部材とで挟まれる空間を中空導光領域とし、配線基板に多数個のＬＥＤを列設実装したＬＥＤ光源ユニットを前記中空導光領域に隣接して、当該中空導光領域に出射するように配置し、前記ＬＥＤ光源ユニットの前記ＬＥＤそれぞれからの光をその光軸が前記ユニットケースの発光面部材の面に平行になるように集光する細長集光部材を前記ＬＥＤ光源ユニットの出射部に前記ＬＥＤの配列と平行に配置した中空式面照明装置において、
前記ＬＥＤ光源ユニットは、赤色ＬＥＤ、緑色ＬＥＤ、青色ＬＥＤの多数個が所定の配列にて列設され、かつ、当該配列の両端位置それぞれには、それらに直に隣接するＬＥＤの発光色と異なる発光色の２色、若しくは３色のチップを同時にパッケージングしたマルチチップＬＥＤを配置したものであることを特徴とする中空式面照明装置。
【請求項２】
前記細長集光部材は、前記ＬＥＤそれぞれからの光をその光軸が前記ユニットケースの発光面部材の面に平行になるように集光するＬＥＤコリメータであり、
前記ＬＥＤコリメータは、前記ＬＥＤそれぞれからの光を屈折させて体内に導入あるいは出射する屈折集光機能部と、体内に導入した光を全反射させて前記中空導光領域に出射させる全反射集光機能部とを有することを特徴とする請求項１記載の中空式面照明装置。
【発明の詳細な説明】
【技術分野】
【０００１】
本発明は、例えば液晶表示装置のバックライトユニットのように発光面から均一な輝度分布の照明光を出射する中空式面照明装置に関する。
【背景技術】
【０００２】
近年、液晶表示装置用バックライトユニットの光源として、冷陰極放電灯からＬＥＤに代替される動きが進んでいる。これは、ＬＥＤには有害物質である水銀が含まれず、環境調和型の光源として適していること、また最近の大幅な発光効率の向上により消費電力が大幅に低減できることによるところが大きい。ＬＥＤを光源として備えるバックライトユニットは、これまで携帯電話機やモバイル端末のように概ね小型機器に対する用途が中心であったが、最近では２０インチ型以上の液晶モニタや液晶テレビ等、大型の液晶表示装置にも採用の動きが進んでいる。
【０００３】
大型液晶表示装置の場合、そのバックライトユニットには高輝度であることが求められる。そのため、大型液晶表示装置用のバックライトユニットとしては、特開２００５−３１６３３７号公報（特許文献１）に記載されているように、面発光部の直下にＬＥＤ光源を配置した直下型のバックライトユニットが一般的になっている。ところが、直下型のＬＥＤバックライトユニットでは、光源がＬＥＤであるため、配列した多数のＬＥＤと面発光部との距離が近接しすぎると輝度むら、色むらとして認識され、それが照らす液晶の表示品質を悪化させてしまう。この現象は、高輝度を実現するために、１個当りの電力が１Ｗクラス以上の高出力ＬＥＤを光源とした場合にいっそう顕著に現われる。反面、輝度むら、色むらを低減させるためにＬＥＤと面発光部（拡散板）との距離を遠ざけることは、装置全体の厚みを増加させることにつながる。液晶パネル上の色再現性を向上させるために、光源を青色、赤色、緑色それぞれの単色発光ＬＥＤで例えばＮＴＳＣ規格比１００％以上を実現しようとすれば、混色性を確保する必要があって、いっそう厚みを増加させる必要があるが、近年の液晶表示装置の薄型化の傾向に反して好ましくない。
【０００４】
また直下型バックライトユニットとして、その光源に白色発光ＬＥＤを用いたものも開発され、商品化されている。ところが、一般的な白色発光ＬＥＤは、ＬＥＤが放射する青色光でチップ近傍に設けた黄色発光する蛍光体を励起して擬似的に白色発光させているため赤色の発光成分が少なく、そのため液晶パネルを透過させた際に赤色の色再現性が低下するので、高い色再現性を必要とする医療用、コンピュータグラフィックス用の液晶モニタのバックライトユニットとして採用するには課題が多い。
【０００５】
この直下型バックライトユニットの問題点を解決するものとして、装置内の端部に配列させたＬＥＤ光源の放射光を中空導光領域で反射させて面発光部から均一に出射させてその前方の液晶パネルに照射させる中空式バックライトユニットが特開２００６−１０６２１２号公報（特許文献２）にて知られている。この従来の中空式バックライトユニットでは、単色ＬＥＤを分散配列させて混色して発光色を得るようにしている。ところが、液晶モニタの薄型化と共に狭額縁化の要求が強い今日、バックライトユニットに対しても、両端のＬＥＤ位置と額縁の内周縁とが重なるか額縁の方が端部のＬＥＤよりもわずかに外側に位置するか程度しか寸法的な余裕がない。そのような条件のもとでは、単色ＬＥＤを列設した場合、列端部位置のＬＥＤからの光は単独では照度が低くなり、結果的にＬＥＤの光軸に沿った額縁の内周縁近くの照度が部分的に暗くなる問題点があった。また、同特許文献２には、各色ＬＥＤを厚み方向に分散配列し、かつ長手方向にも分散配列させることで混色し白色光を得る技術が記載されている。しかしながら、この場合にも、各列の両端位置のＬＥＤについては同様のことが起こり、結果的にＬＥＤの光軸に沿った額縁の内周縁近くの照度が部分的に暗くなる問題点があった。なお、従来、特開平８-１７１８０６号公報（特許文献３）によって片側に長尺光源を配置した中空式面照明装置が知られているが、この従来例の場合、光源に冷陰極放電ランプを採用しており、多数のＬＥＤを列設したＬＥＤ光源ユニットを採用してはいない。
【特許文献１】特開２００５−３１６３３７号公報
【特許文献２】特開２００６−１０６２１２号公報
【特許文献３】特開平８-１７１８０６号公報
【発明の開示】
【発明が解決しようとする課題】
【０００６】
本発明は、上記のような従来の技術的課題に鑑みてなされたもので、薄型化、狭額縁化に対応でき、かつ、発光面周辺つまり額縁近辺での照度低下がなくて発光面全体で均一照度の白色光が得られるサイドライト方式の中空式面照明装置を提供することを目的とする。
【０００７】
尚、本願において、「サイドライト方式」とは、発光面の背部側方の光源ユニットから発光面に平行な方向に光を出射し、この光を屈折、反射、拡散させて発光面に導光する照明方式をいう。
【課題を解決するための手段】
【０００８】
本発明は、中空のユニットケースの底面側に光反射面部材を配置し、前記ユニットケースの前記光反射面部材と対向する表側に発光面部材を配置し、前記ユニットケースにおける前記光反射面部材と発光面部材とで挟まれる空間を中空導光領域とし、配線基板に多数個のＬＥＤを列設実装したＬＥＤ光源ユニットを前記中空導光領域に隣接して、当該中空導光領域に出射するように配置し、前記ＬＥＤ光源ユニットの前記ＬＥＤそれぞれからの光をその光軸が前記ユニットケースの発光面部材の面に平行になるように集光する細長集光部材を前記ＬＥＤ光源ユニットの出射部に前記ＬＥＤの配列と平行に配置した中空式面照明装置において、前記ＬＥＤ光源ユニットは、赤色ＬＥＤ、緑色ＬＥＤ、青色ＬＥＤの多数個が所定の配列にて列設され、かつ、当該配列の両端位置それぞれには、それらに直に隣接するＬＥＤの発光色と異なる発光色の２色、若しくは３色のチップを同時にパッケージングしたマルチチップＬＥＤを配置したものであることを特徴とするものである。
【０００９】
上記発明の中空式面照明装置では、前記細長集光部材は、前記ＬＥＤそれぞれからの光をその光軸が前記ユニットケースの発光面部材の面に平行になるように集光するＬＥＤコリメータであり、前記ＬＥＤコリメータは、前記ＬＥＤそれぞれからの光を屈折させて体内に導入あるいは出射する屈折集光機能部と、体内に導入した光を全反射させて前記中空導光領域に出射させる全反射集光機能部とを有するものとすることができる。
【発明の効果】
【００１０】
本発明の中空式面照明装置によれば、ＬＥＤ光源ユニットに赤色ＬＥＤ、緑色ＬＥＤ、青色ＬＥＤの多数個を所定の配列にて列設し、かつ、当該配列の両端それぞれの位置に、それらに直に隣接するＬＥＤの発光色と異なる発光色の２色、若しくは３色のチップを同時にパッケージングしたマルチチップＬＥＤを配置したことにより、多数のＬＥＤの列の両端位置それぞれのＬＥＤは他のＬＥＤの２倍若しくは３倍の輝度にて発光し、かつ、直隣接する位置のＬＥＤとは異なった２色若しくは白色にて発光するので、直隣接する位置のＬＥＤの発光色と混色して白色となり、端部の発光色が偏ることがなく、その結果として、ＬＥＤの光軸に沿った額縁の内周縁近くでも高い照度が保て、狭額縁化しても発光面周辺つまり額縁近辺での照度低下がなくて発光面全体で均一照度の白色光が得られる。
【発明を実施するための最良の形態】
【００１１】
以下、本発明の実施の形態を図に基づいて詳説する。
【００１２】
（第１の実施の形態）図１、図２は本発明の第１の実施の形態の中空式面照明装置としての液晶表示装置用のバックライトユニット３０を示している。このバックライトユニット３０は、矩形のユニットケース１の底面中央で１つの辺に平行な線に沿い、山形に盛上り、その稜線の両側に遠ざかるほど漸次低くなる山形の光反射面部材２が配置してある。このユニットケース１の表開口面に発光面部材３が配置してある。そして、ユニットケース１に発光面部材３側からフロントフレーム４を被せ、ユニットケート１と一体化することで本実施の形態のバックライトユニットが組み上げられている。ユニットケース１内の、光反射面部材２と発光面部材３とで挟む空間部分は、中空導光領域１０となっている。
【００１３】
光反射面部材２は、金属あるいは樹脂の基材に高反射性、かつ拡散反射性を有する材料、例えば白色ＰＥＴフィルムや白色インクを積層させ、かつ、発光面部材３での輝度分布が均一になるように、発光面部材３との距離を変化させる形状にしてある。光拡散反射性を有する材料としては、上記の他に、鏡面反射性を持つ高反射アルミニウム等に光透過性拡散材をコーティングしたものでもよい。
【００１４】
発光面部材３は、少なくとも光透過拡散板３Ａに対して、さらに拡散シート３Ｂ，３Ｃ、レンズシート３Ｄ等の光学シートを重ねて構成したものであり、中空導光領域１０を通り、山形の光反射面部材２に当たって反射して来た光を均一に拡散、出射させることで、発光面での輝度むらをなくし、均斉度を高くする働きをする。
【００１５】
ユニットケース１は、アルミニウム合金等の高熱伝導性の金属で形成されている。このユニットケース１における光反射面部材２の稜線に平行な両側面それぞれに、ＬＥＤ光源ユニット５が配置してある。このＬＥＤ光源ユニット５は、ユニットケース１の該当側面に収容できる幅を持つ細長い配線基板６上に多数個のＬＥＤ７を一列若しくは複数列に列設実装したものである。配線基板６は高熱伝導性のアルミ系、同系合金などの金属や、窒化アルミニウム等のセラミックにより形成してあり、高熱伝導性のユニットケース１の側壁にねじ止め、接着その他の手段で固定している。尚、この配線基板６とユニットケース１の側壁との間には高熱伝導性の両面テープ、シートあるいはグリースを介在させるのが好ましい。
【００１６】
ＬＥＤ光源ユニット５上に実装されるＬＥＤ７には、所望の白色色度に合成させるため、本実施の形態では配線基板６上に所定間隔で、赤色（Ｒ）のＬＥＤ、緑色（Ｇ）のＬＥＤ、青色（Ｂ）のＬＥＤをこの順に繰り返す配列で実装し、かつ、列の両端位置のＬＥＤ７Ｅ１，７Ｅ２には、ＲＧＢの全３色を同時にパッケージングした見た目に白色発光と映る３色マルチチップＬＥＤを実装している。
【００１７】
図４に示すように、このＬＥＤ光源ユニット５の長手方向の両端のＬＥＤ７Ｅ１，７Ｅ２の位置とユニットケース１のフロントフレーム４の内周縁４Ａとの位置関係は、フロントフレーム４の内周縁４Ａよりも内側（発光面部材３の中央寄りの位置）にＬＥＤ７Ｅ１，７Ｅ２が位置するようにして、いずれのＬＥＤもフロントフレーム４に隠れて発光が遮られないような位置関係にしている。図４には左側の片方だけしか図示されていないが、反対側の右側も同様である。
【００１８】
本実施の形態のバックライトユニットでは、ＬＥＤ光源ユニット５におけるＬＥＤ７の配列をＲＧＢ３色それぞれの単色ＬＥＤを順繰りに繰り返す配列で列設し、かつ、端部位置のＬＥＤ７Ｅ１，７Ｅ２についてはＲＧＢ３色マルチチップＬＥＤを配置したことで、次の利点がある。中間位置のＬＥＤ７群については、各ＬＥＤ７からの発光はある程度円錐状に広がるので、隣接する他の色のＬＥＤ７の発光と混合し合い、列方向ではほぼ均一な照度と成り得る。ところが、両端位置のＬＥＤ７Ｅ１，７Ｅ２については、片側（図４では右側）には他のＬＥＤ７が隣接して存在するが、他側（図４では左側）には他のＬＥＤが隣接して存在していない。そのために、端部のＬＥＤ７Ｅ１が中間位置のＬＥＤ７と同じ発光輝度であれば、一方に隣接するＬＥＤ７が存在しないために混合した発光輝度が中間位置のＬＥＤの場合よりも低くなると共に、３色混合できないために白色からずれた発光色に色むらしてしまう。そこで、この端部位置のＬＥＤ７Ｅ１，７Ｅ２については自身の発光輝度が高いマルチチップＬＥＤを使用することで発光面端部での照度の低下を防止する。同時に、本実施の形態の場合には見た目に白色発光と映る３色マルチチップＬＥＤを端部位置のＬＥＤ７Ｅ１，７Ｅ２に採用することで、発光面端部でも色むらすることなく均一な白色発光を実現できる。
【００１９】
図１、図２に戻り、ＬＥＤ光源ユニット５の出射側と中空導光領域１０との間に、ＬＥＤ７の列を覆い、ＬＥＤ７より拡散放射された放射光を入光する凹溝８で構成される入射面が形成された細長いＬＥＤコリメータ９が細長集光部材として配置してある。このＬＥＤコリメータ９は、ＬＥＤ光源ユニット５に実装された多数のＬＥＤ７それぞれから拡散放射された光を入光するための凹溝８と、その凹溝８の上下両端に連接し湾曲した全反射面と、複数の湾曲面を繋ぎ合わせた放射面によって形成され、この放射面に高さに準じて略平行光に集光した光を中空導光領域１０に入光させるための光学部材であり、例えば、アクリルやポリカーボネートのような透明樹脂、あるいはガラスで形成されている。
【００２０】
図５、図６に詳しく示してあるように、ＬＥＤコリメータ９のＬＥＤ７の列に面する入射部側に凹溝８が形成されている。この凹溝８の溝壁面は、ＬＥＤ７の光軸に近い角度の放射光を体内に導光する凸形状の入射面ＩｎＡと、ＬＥＤ７の光軸から離れた角度の放射光を体内に導光する平面形状の入射面ＩｎＢ１，ＩｎＢ２となっている。ＬＥＤコリメータ９の図において下側と上側に位置する側面は、体内の光を全反射するように湾曲した全反射面ＴＩＲ１，ＴＩＲ２となっている。ＬＥＤコリメータ９の出射部は、入射面ＩｎＡからの入射光に対応する凸形状の出射面ＥｘＡと、入射面ＩｎＢ１，ＩｎＢ２から入射した後、全反射面ＴＩＲ１，ＴＩＲ２で全反射した光に対応する凹曲面形状の出射面ＥｘＢ１，ＥｘＢ２となっている。
【００２１】
上記実施の形態のバックライトユニットでは、図６に詳しく示したように、ＬＥＤコリメータ９によって、ＬＥＤ光源ユニット５のＬＥＤ７からの光を中空導光領域１０の厚み方向に集光してこの中空導光領域１０に入射させる。つまり、ＬＥＤコリメータ９において、ＬＥＤ７から入射面ＩｎＡに入射した光ＲＹＡは、断面凸形状の入射面ＩｎＡ及び出射面ＥｘＡにて屈折し、中空導光領域１０の厚み方向に集光される。また入射面ＩｎＢ１，ＩｎＢ２に入射した光ＲＹＢ１，ＲＹＢ２は、全反射面ＴＩＲ１，ＴＩＲ２での全反射と出射面ＥｘＢ１，ＥｘＢ２での屈折により、中空導光領域１０の厚み方向に集光される。
【００２２】
ＬＥＤコリメータ９から中空導光領域１０に出射した光ＲＹＡ，ＲＹＢ１，ＲＹＢ２は、形状を最適化した反射面部材２の反射面で発光面部材３の方向へ反射され、この発光面部材３の発光面から高輝度で、かつ輝度むらのない状態で出射される。
【００２３】
本実施の形態のバックライトユニットによれば、上記ＬＥＤコリメータ９の存在によって光源であるＬＥＤ７から広角度に放射される光を、光利用効率８０％以上という高効率かつ狭角度で集光させることができ、中空導光領域１０における反射損失を最低限に抑えることができ、従来の中空方式のバックライトユニットよりも輝度を向上させることができる。また、従来の中空方式のバックライトユニットでは、光源からできるだけ遠方に光を到達させるために中空導光領域の反射面を鏡面反射性、あるいはそれに近い反射特性にして、発光面に局所的な輝線などが発生していたが、本実施の形態のバックライトユニットの場合、光源の集光性が高いので、反射面を拡散反射性としても輝度均斉度を高くでき、かつ、局所的な輝線の発生も防止できる。
【００２４】
図７（ａ）、（ｂ）は、本実施の形態のバックライトユニット３０における、発光面の相対する２側面それぞれに設けられた一対のＬＥＤ光源ユニット５による光源ラインに直角な方向（ＬＥＤ配列方向に直角あるいはＬＥＤの光軸方向に平行な方向）を輝度分布測定ライン３１とし、その輝度分布測定ライン３１上における一対のＬＥＤ光源ユニット５による光源ライン間の輝度分布を示している。尚、ＬＥＤ光源ユニット５はこの場合、図７（ａ）のバックライトユニット３０において上下それぞれの長辺の位置に相対向するように設置されている。これによれば、約９０００ｃｄ／ｍ２〜１１０００ｃｄ／ｍ２の範囲で均斉度の高い白色光の輝度分布が得られている。
【００２５】
（第２の実施の形態）本発明の第２の実施の形態のバックライトユニットについて、図８を用いて説明する。第２の実施の形態は、バックライトユニット３０の構成は第１の実施の形態と共通であり、図１、図２に示したものである。またＬＥＤコリメータ９に付いても第１の実施の形態と共通である。本実施の形態の特徴は、図８に示したＬＥＤ光源ユニット５にあり、多数個のＬＥＤ７の配列はＲＧＢ配列としながらも、列両端位置のＬＥＤ７Ｅ１，７Ｅ２については直隣接する単色ＬＥＤ７の発光色を含まない２色マルチチップＬＥＤを採用したことを特徴とする。すなわち、図８において端部位置のＬＥＤ７Ｅ１については、直隣接する単色ＬＥＤ７が青色（Ｂ）ＬＥＤであるので、この色を含まない２色、つまり、ＲＧ２色マルチチップＬＥＤを用いている。また反対側の端部位置のＬＥＤ７Ｅ２については、直隣接する単色ＬＥＤ７が緑色（Ｇ）ＬＥＤであるので、この色を含まない２色、つまり、ＲＢ２色マルチチップＬＥＤを用いている。
【００２６】
本実施の形態のバックライトユニット３０においても、ＬＥＤ光源ユニット５におけるＬＥＤ７の配列をＲＧＢ３色それぞれの単色ＬＥＤを順繰りに繰り返す配列で列設し、かつ、端部位置のＬＥＤ７Ｅ１，７Ｅ２については直隣接する単色ＬＥＤの発光色を含まない残りの２色のマルチチップＬＥＤを配置したことで、発光輝度が高いマルチチップＬＥＤが両端部に位置することで発光面端部での照度の低下が防止でき、同時に、端部においても直隣接する単色発光のＬＥＤとその色を含まない残りの２色を発光するマルチチップＬＥＤの発光色との混合により白色発光とすることができ、発光面端部でも色むらすることなく均一な白色発光を実現できる。
【００２７】
（第３の実施の形態）本発明の第３の実施の形態のバックライトユニット３０Ａについて、図９を用いて説明する。本実施の形態のバックライトユニット３０Ａは、ユニットケース１Ａの底部に片スロープになった反射面部材２Ａを設置し、ユニットケース１Ａの片サイドに設置したＬＥＤ光源ユニット５のＬＥＤから中空導光領域１０に光を入射させ、反射面部材２Ａにて発光面部材３側に反射させる片側入射タイプの構造である。本実施の形態において、ＬＥＤ光源ユニット５は図３に示した第１の実施の形態と同様のものを採用している。しかしながら、このＬＥＤ光源ユニット５には、図８に示した第２の実施の形態と同様のものを採用することもできる。図９に示した本実施の形態にあって、その他の構成は第１、第２の実施の形態と共通であり、共通する要素には同一の符号を付して示してある。
【００２８】
尚、上記第１〜第３の実施の形態において採用したＬＥＤ光源ユニット５では、中間位置のＬＥＤ７はＲＧＢ各色が１個ずつ順繰りに並ぶ配列としたが、中間位置のＬＥＤの配列はこれに限定されるものではなく、例えば、ＲＢＧ各色が１個ずつ順繰りに並ぶ配列であってもよい。また、中間位置両端、つまり単位部位置の直隣接する位置のＬＥＤが異なる発光色になってもよい。さらに、一般的に白色の明るさを強くするためには緑色（Ｇ）ＬＥＤを他の発光色のＬＥＤよりも多く使用することが行われているが、その場合、ＲＧＧＢＲＧＧＢ…とする配列を採用したり、ＲＧＢＧＲＧＢＧ…とする配列を採用したりすることもできる。そして、中間位置のＬＥＤの配列がどのようなものであれ、列両端位置のＬＥＤ７Ｅ１，７Ｅ２それぞれについては、直隣接する単色発光ＬＥＤの発光色を含まない残り２色を同時に発光するマルチチップＬＥＤを採用し、又はＲＧＢ３色同時発光する３色マルチチップＬＥＤを採用することができる。
【００２９】
また、第１〜第３の実施の形態では、細長集光部材としてＬＥＤコリメータ９を採用したが、これについては単純な長尺の集光レンズ部材を採用することも可能である。
【００３０】
また、上記の各実施の形態は液晶ディスプレイ用のバックライトユニットについて説明したが、上記実施の形態の構成の中空式面照明装置として他の用途、例えば天井照明、床照明、壁面照明、フィルムの背面照明等にも応用することができる。
【図面の簡単な説明】
【００３１】
【図１】本発明の第１の実施の形態のバックライトユニットの分解斜視図。
【図２】上記実施の形態のバックライトユニットの断面図。
【図３】上記実施の形態のバックライトユニットにおけるＬＥＤ光源ユニットの斜視図。
【図４】上記実施の形態のバックライトユニットにおけるＬＥＤ光源ユニットの端部相当部分の拡大断面図。
【図５】上記実施の形態のバックライトユニットにおけるＬＥＤコリメータの一部破断斜視図。
【図６】上記実施の形態におけるＬＥＤコリメータの集光特性を示す断面図。
【図７】上記実施の形態のバックライトユニットの輝度分布特性を示すグラフ。
【図８】本発明の第２の実施の形態のバックライトユニットにおいて採用したＬＥＤ光源ユニットの斜視図。
【図９】本発明の第３の実施の形態のバックライトユニットの断面図。
【符号の説明】
【００３２】
１，１Ａ  ユニットケース
２  反射面部材
３  発光面部材
４  フロントフレーム
４Ａ  内周縁
５  ＬＥＤ光源ユニット
６  配線基板
７  （単色発光、中間位置の）ＬＥＤ
７Ｅ１，７Ｅ２  （端部位置の）ＬＥＤ
９  ＬＥＤコリメータ
１０  中空導光領域
３０，３０Ａ  バックライトユニット
【図１】
2009099446.tif 000003
【図２】
2009099446.tif 000004
【図３】
2009099446.tif 000005
【図４】
2009099446.tif 000006
【図５】
2009099446.tif 000007
【図６】
2009099446.tif 000008
【図７】
2009099446.tif 000009
【図８】
2009099446.tif 000010
【図９】
2009099446.tif 000011